(57)【要約】【課題】本発明は、設定スイッチの取付けを簡単にした構成を備え、設定スイッチの操作を安全に行える空気調和装置の室外機を提供する。【解決手段】室外機１は、電源供給用電線端子が取付けられる第１の接続部２２ａおよび制御基板１１接続用電線の端子が取付けられる第２の接続部２２ｂを備えた端子台２２と、端子台を支持する端子台ベース２１と、この端子台ベースに取付けられ端子台の第２の接続部を覆うカバー部ａを備え、カバー部から離間した位置にスイッチ固定部３４が設けられるカバー本体３０と、このカバー本体に着脱自在に取付けられ第１の接続部を覆う端子カバー４０と、カバー本体のスイッチ固定部に取付けられ手動操作可能なスイッチを備えたスイッチ基板５０とを具備する。【選択図】図４
2006183883.tif 000002
【特許請求の範囲】
【請求項１】
圧縮機と、熱交換器と、この熱交換器に対向して配置される送風機および、上記圧縮機、送風機などを駆動制御するための制御部品が装着される制御基板等を収納する電気部品箱とを具備した空気調和装置の室外機において、
上記電気部品箱の外に設けられ、
電源供給用電線の端子が取付けられる第１の接続部および、上記制御基板と電気的に接続する電線の端子が取付けられる第２の接続部を備えた端子台と、
上記端子台を支持する端子台ベースと、
この端子台ベースに取付けられ、上記端子台の第２の接続部を覆うカバー部を備えるとともに、このカバー部から離間した位置にスイッチ固定部が設けられるカバー本体と、
このカバー本体に着脱自在に取付けられ、上記端子台の第１の接続部を覆う端子カバーと、
上記カバー本体の上記スイッチ固定部に取付けられ、手動操作可能な設定スイッチを備えたスイッチ基板と
を具備することを特徴とする空気調和装置の室外機。
【請求項２】
上記端子カバーには、複数の凹陥形成される溝部が設けられることを特徴とする請求項１記載の空気調和装置の室外機。
【請求項３】
上記電気部品箱内には、上記制御部品の装着方向に向かって漸次、幅が狭くなるようにスロープが設けられていることを特徴とする請求項１記載の空気調和装置の室外機。
【発明の詳細な説明】
【技術分野】
【０００１】
本発明は、空気調和装置の室外機に係り、特に電気部品箱における端子台とスイッチ基板との取付け構造の改良に関する。
【背景技術】
【０００２】
室内機と室外機とを、冷媒管およびリード線を介して接続してなる分離型の空気調和装置が多用されている。特に、室外機には、筐体である室外機本体内に、圧縮機と、熱交換器と、この熱交換器に対向して配置される送風機などが収容される。さらに、室外機本体内には電気部品箱が取付けられていて、ここには圧縮機、送風機などを駆動制御するための制御部品が装着される制御基板と、電源供給用電線の端子および制御基板接続用電線の端子が取付けられる端子台が収容される。
【０００３】
たとえば、［特許文献１］には、制御基板を主基板と補助基板とに分離し、補助基板に設定スイッチを設けている。上記補助基板を電気部品箱の側面に取付け、設定スイッチを操作し易い向きに配置できるようにしたことを特徴とする空気調和装置の室外機が開示されている。上記設定スイッチは、たとえばパワーセーブモード運転、既設配管運転モード等の各種の運転モードに対応させるための切換えスイッチである。
【０００４】
【特許文献１】特開２００２−１０６８８７号公報
【発明の開示】
【発明が解決しようとする課題】
【０００５】
ところで、上述の［特許文献１］の技術では、端子台が上記設定スイッチを取付けた補助基板に隣接して設けられている。この端子台の正面視面積および電気部品箱側面からの突出量と比較して、上記補助基板の正面視面積および設定スイッチの電気部品箱側面からの突出量が極くわずかでしかない。  
そのため、補助基板の取付けを端子台の取付けの後に行うと、端子台が邪魔になって作業性が悪い。作業順序を予め決めなければならず、手間がかかる。補助基板が取付けられた状態で、設定スイッチと端子台とは極く接近した位置にある。そのため、設定スイッチを操作する際に誤って手が端子台に触れ、作業性が悪い。さらには、電線端子の取付け部に直接、手が触れると感電の虞れがある。
【０００６】
上記補助基板を端子台から離間した位置に取付けることができれば問題が解決するが、既に補助基板は電気部品箱の側面端部に取付けられており、ここから位置をずらすことができない。端子台においても同様に、スペース的に余裕が少なく、無理に位置をずらすと電源コード等の接続作業が行い難くなって作業性が低下してしまう。
【０００７】
本発明は上述した事情を考慮してなされたものであり、その目的とするところは、設定スイッチの取付けを簡単にした構成を備え、設定スイッチの操作を安全に行える空気調和装置の室外機を提供しようとするものである。
【課題を解決するための手段】
【０００８】
上記目的を達成するため本発明は、圧縮機と、熱交換器と、この熱交換器に対向して配置される送風機および、圧縮機、送風機などを駆動制御するための制御部品が装着される制御基板等を収納する電気部品箱とを具備した空気調和装置の室外機において、  
上記電気部品箱の外に設けられ、電源供給用電線の端子が取付けられる第１の接続部および制御基板と電気的に接続する電線の端子が取付けられる第２の接続部を備えた端子台と、端子台を支持する端子台ベースと、この端子台ベースに取付けられ端子台の第２の接続部を覆うカバー部を備え、カバー部から離間した位置にスイッチ固定部が設けられるカバー本体と、このカバー本体に着脱自在に取付けられ端子台の第１の接続部を覆う端子カバーと、カバー本体のスイッチ固定部に取付けられ手動操作可能な設定スイッチを備えたスイッチ基板とを具備する。
【発明の効果】
【０００９】
本発明によれば、組立が容易で、かつ設定スイッチに対する操作にともなう危険を完全に排除して、安全性の向上化を得られる電気部品箱を備えた空気調和装置の室外機を提供できる。
【発明を実施するための最良の形態】
【００１０】
以下、図面を参照しながら、本発明の実施の形態について詳細に説明する。  
図１は室外機の一部を切欠して示す斜視図である。  
室外機本体１は所定の奥行き寸法を有する正面視で矩形状の筐体である。この室外機本体１の前面で、一側部（図の右側部）を除く大部分が開口され、ファンガード２が嵌め込まれる。室外機本体１内部で上記ファンガード２と対向する位置には送風機３が配置され、送風方向をファンガード２に向けている。
【００１１】
上記送風機３を囲むように熱交換器４が配置される。すなわち、熱交換器４は室外機本体１の一側面および背面に沿って、平面視で略Ｌ字状に屈曲形成されている。上記熱交換器４と対向する室外機本体１の側面および背面には、図示しない空気吸込み口が開口される。上記送風機３と熱交換器４の側部に亘って仕切り板５が設けられ、室外機本体１の内部は仕切り板５によって二分されている。
【００１２】
上記送風機３と熱交換器４は仕切り板５によって仕切られる一方の室に配置されており、ここを熱交換室６Ａと呼ぶ。上記仕切り板５によって仕切られる室外機本体１内部の他方室を機械室６Ｂと呼ぶ。この機械室６Ｂには、圧縮機７とアキュームレータ８と弁類およびこれらに接続される配管類が収容される。
【００１３】
仕切り板５の上端一部は切欠加工されていて、この部分のみ室外機本体１の上面板である天板１ａと離間している。仕切り板５切欠端部と天板１ａとの間に電気部品箱１０が介在されていて、電気部品箱１０は一部が上記熱交換室６Ａに突出し、残りの一部が機械室６Ｂに位置する。
【００１４】
つぎに、電気部品箱１０について詳述する。  
図２は室外機本体１側面一部の拡大図、図３は電気部品箱１０の斜視図、図４は電気部品箱１０の取付け状態を示す図、図５は端子台ベース２１の斜視図、図６はカバー本体３０の一部横断平面図である。
【００１５】
上記電気部品箱１０は前面一部が開口する箱体であり、この天板部１０ａが室外機本体１の天板１ａとほとんど接触するよう室外機本体１に取付けられる。天板部１０ａの裏面側全面に亘って制御基板１１が取付けられる。上記制御基板１１には、送風機３、圧縮機７等の電動部品を駆動制御するための制御部品が実装される。
【００１６】
すなわち、制御基板１１における長手方向の一側辺部には発熱量が大きく、放熱フィン１２を備えたパワートランジスタモジュール等が実装され、制御基板１１の下面側（反天板側）には、電解コンデンサ等の電気部品が実装される。  
電気部品箱１０の一側面には複数の孔部からなる通気孔１３が設けられ、かつ電気部品箱１０内部にはスロープ１４が設けられる。このスロープ１４は耐燃性の合成樹脂材からなり、電気部品箱１０の前面開口端から電気部品が実装される底部に向かって電気部品箱１０内に形成される空気流通路の高さ（幅）を狭くするように設けられる。
【００１７】
上記室外機本体１の一側面には配線用開口部１５が設けられていて、ここには配線蓋１６が複数の取付けネジを介して取付けられる。配線蓋１６の上部側における室外機本体１側面には、室外機運搬時に用いられる把手部１７が一体に成形され、上記配線蓋１６には把手部１７の逃げをなす湾曲部１８が凹陥形成される。
【００１８】
上記配線蓋１６の湾曲部１８下部には複数の孔部からなる通気孔１９が設けられ、外部空気がこれら通気孔１９を介して室外機本体１内へ導入されるようになっている。さらに配線蓋１６には、外部電線を通すための外部電線導入部２０が形成される。
【００１９】
特に、図２に示すように、上記配線蓋１６を室外機本体１から取外すと、配線用開口部１５から端子台ベース２１の一部と、この端子台ベース２１に取付けられるカバー本体３０および端子カバー４０が露出する。端子台ベース２１には端子台２２も取付けられているが、この端子台２２は上記カバー本体３０および端子カバー４０によって覆われていて、これらを取外すことによってはじめて露出する。
【００２０】
なお説明すると、上記端子台ベース２１は、電気部品箱１０開口端から水平方向に突出する水平部２１ａと、この水平部２１ａの端部から斜め下方に折り曲げられ傾斜部２１ｂとからなる。傾斜部２１ｂの先端は室外機本体１側面に設けられる配線用開口部１５の下端近傍まで延出され、この傾斜部２１ｂに上記端子台２２が取付けられる。
【００２１】
上記端子台ベース２１における傾斜部２１ｂの幅寸法は、配線用開口部１５の幅寸法よりも若干大きめに設けられ、水平部２１ａの幅寸法は、傾斜部２１ｂの幅よりも狭く設けられていて、電気部品箱１０に対する配線作業の邪魔とならないように成形されている。  
上記端子台２２は、第１の接続部２２ａと第２の接続部２２ｂが並列に、２列備えられる。第１の接続部２２ａには外部から延出される電源供給用の電線の端子が取付けられ、第２の接続部２２ｂには電気部品箱１０内の制御基板１１と接続する電線の端子が取付けられる。したがって、第１の接続部２２ａは第２の接続部２２ｂよりも大きく成形され、各接続端子を区画する隔壁２２ｃも大である。
【００２２】
端子台２２の両側端部にはカバー本体取付け部２２ｄが設けられ、ここに上記カバー本体３０の両側部に形成される脚部３１が嵌め込まれる。脚部３１には、ネジ孔を備えた取付け座３１ａが一体に成形され、取付けネジを介して端子台ベース２１の傾斜部２１ｂに取付け固定される。
【００２３】
カバー本体３０の脚部３１は端子台２２のカバー本体取付け部２２ｄ上端面間に亘って架設される傾斜するカバー部ａと、このカバー部ａの長手方向に沿う端縁から一体に垂直方向に折曲形成される垂直面部ｂを備えている。上記カバー部ａはカバー本体取付け部２２ｄと対向する部分を残して、第１の接続部２２ａと対向する部分は欠落加工され、第２の接続部２２ｂと対向する部分のみが残って架設状態となっている。
【００２４】
したがって、端子台ベース２１の傾斜部２１ｂに端子台２２とカバー本体３０のみを取付けた状態で、端子台２２の第１の接続部２２ａがカバー部ａの欠落部分に対向して露出し、第２の接続部２２ｂはカバー部ａによって覆われる。  
カバー部ａの欠落部分を挟んで残された両側部、すなわち脚部３１の対向部分において、一方の側部にはネジ孔を備えた取付け部３２が設けられ、他方側部には図示しない掛止用凹部を備えた掛止部３３が設けられる。
【００２５】
一方、上記端子カバー４０は、長手方向の一側部にネジ挿通用孔を備えた突部４１が設けられ、他側部に爪部４２が設けられている。カバー本体３０に端子カバー４０を取付けるには、カバー本体３０の掛止部３３に端子カバー４０の爪部４２を挿入し掛合したのち、カバー本体３０の取付け部３２に対して端子カバー４０の突部４１を位置合せし、取付けネジを螺挿すればよい。
【００２６】
この状態で、カバー本体３０に端子カバー４０が取付け固定され、端子台２２の第１の接続部２２ａが端子カバー４０によってカバーされる。端子カバー４０には複数の溝部４３が所定間隔を存して一体に凹陥形成されていて、これら溝部４３は第１の接続部２２ａを構成する隔壁２２ｃ相互間に挿入される。すなわち、溝部４３の存在により、第１の接続部２２ａに接続される電源供給用電線の端子がより抜け難くなる。
【００２７】
一方、カバー本体３０の垂直面部ｂは一部のみが上方へ突出していて、この突出部はスイッチ基板５０を取付けるためのスイッチ固定部３４となっている。上記スイッチ固定部３４は、最上部に箱型をなし、前面側が閉塞されたうえで手前側に突出するコネクタ収納部３５と、このコネクタ収納部３５の下部側で、かつ前面側において開口する、丸孔からなる第１のスイッチ操作用孔３６および、矩形状の第２のスイッチ操作用孔３７を備えている。
【００２８】
上記スイッチ固定部３４は、左右側部が所定の幅寸法に形成され、背面側は開口される。上記第１のスイッチ操作用孔３６と同一高さの両側部には左右一対の固定爪３８が設けられていて、先端の爪部ｄは弾性変形自在である。  
このカバー本体３０に一体成形されるスイッチ固定部３４に、上記スイッチ基板５０が取付けられる。すなわち、スイッチ基板５０はスイッチ固定部３４を構成するコネクタ収納部３５と下部に亘る背面の開口から内部に挿入される。
【００２９】
スイッチ基板５０の前面に上部からコネクタ５１と、第１のスイッチ５２および第２のスイッチ５３が所定間隔を存して実装される。これら部品を実装したスイッチ基板５０をスイッチ固定部３４の背面開口部から内部に挿入すると、上記固定爪３８の先端爪部ｄにスイッチ基板５０の側縁が当接する。さらにスイッチ基板５０を押し込むと、固定爪３８の先端爪部ｄが弾性変形して開き、スイッチ基板５０の通過を許容する。
【００３０】
スイッチ基板５０が先端爪部ｄを乗り越えたところで、スイッチ基板５０はスイッチ固定部３４の角部に当接して、それ以上の押し込みが規制される。その一方で、固定爪３８がもとの状態に復帰し、スイッチ基板５０を挟持する。スイッチ固定部３４内にはスイッチ基板５０の上端縁と下端縁とが嵌り込む支え片ｅが一体に設けられていて、スイッチ基板５０の上下端部位置の移動が規制される。
【００３１】
すなわち、スイッチ基板５０は前後・左右・上下の位置が正確に定まり、固定状態となる。このとき、スイッチ基板５０に取付けられるコネクタ５１はコネクタ収納部３５内に位置し、第１のスイッチ５２の端部は第１のスイッチ操作用孔３６から突出し、第２のスイッチ５３は第２のスイッチ操作用孔３７と略同一位置、もしくは操作用孔３７と対向するけれど、これよりもわずかに引っ込んだ位置にある。
【００３２】
上記スイッチ基板５０に取付けられる第１のスイッチ５２は冷媒回収運転用のスイッチであり、第２のスイッチ５３はパワーセーブモード運転もしくは、既設配管対応運転などの各種運転モードに対応させるための切換スイッチである。  
このようにして構成される電気部品箱１０を備えた空気調和装置の室外機であり、圧縮機７が駆動されて冷凍サイクル運転が開始するとともに、送風機３が駆動されて外気を熱交換器４へ送風し、熱交換器４と外気との熱交換作用をなす。
【００３３】
室外機本体１の側面部においては、配線蓋１６に設けられる通気孔２０から室外機本体１内に取入れられる外気は、電気部品箱１０内に導かれ、この内部を流通する。そして、制御基板１１に実装される電機制御部品を冷却して通気孔１３から室外機本体１内に形成される熱交換室６Ａに導かれる。
【００３４】
なお、電気部品箱１０内において、端子台２２と配線蓋１６との間隙は、湾曲部１８が形成されているために狭くなっているが、端子カバー４０に溝部４３が設けられているので外気が流入し易く流入量が増す。さらには、スロープ２４により空気の流速が増し、発熱量が大きい部品を効率的に冷却することができる。
【００３５】
上記電気部品箱１０は、第１の接続部２２ａおよび第２の接続部２２ｂを備えた端子台２２と、端子台ベース２１と、第２の接続部２２ｂを覆うカバー部ａとスイッチ固定部３７が設けられるカバー本体３０と、第１の接続部２２ａを覆う端子カバー４０と、カバー本体３０のスイッチ固定部３６に取付けられスイッチ５２，５３等を備えたスイッチ基板５０とを具備している。
【００３６】
なお説明すれば、カバー本体３０と端子カバー４０とで端子台２２の前面をカバーし、このカバー部分とは離間したカバー本体３０部位にはスイッチ基板５０を取付けたスイッチ固定部３６を一体成形したので、スイッチ基板５０の取付けにあたって端子台２２が邪魔にならず、作業性の向上を図れる。
【００３７】
そして、スイッチ基板５０に実装される第１のスイッチ５２および第２のスイッチ５３を操作する際に、端子台２２の第１、第２の接続部２２ａ，２２ｂに手が触れることがなく、感電等の事故を防ぎ、安全性の向上を図れる。
【００３８】
また、本発明においては上述した実施の形態そのままに限定されるものではなく、実施段階ではその要旨を逸脱しない範囲で構成要素を変形して具体化できる。そして、上述した実施の形態に開示されている複数の構成要素の適宜な組み合わせにより種々の発明を形成できる。
【図面の簡単な説明】
【００３９】
【図１】本発明の実施の形態に係る、空気調和装置室外機の一部を切欠した外観斜視図。
【図２】同実施の形態に係る、室外機の側面一部の拡大図。
【図３】同実施の形態に係る、電気部品箱の斜視図。
【図４】同実施の形態に係る、電気部品箱の取付け状態を示す図。
【図５】同実施の形態に係る、端子台ベースの斜視図。
【図６】同実施の形態に係る、カバー本体の一部横断平面図。
【符号の説明】
【００４０】
７…圧縮機、４…熱交換器、３…送風機、１１…制御基板、１０…電気部品箱、２２ａ…第１の接続部、２２ｂ…第２の接続部、２２…端子台、２１…端子台ベース、ａ…カバー部、３４…スイッチ固定部、３０…カバー本体、４０…端子カバー、５２…第１のスイッチ、５３…第２のスイッチ、５０…スイッチ基板、４３…溝部、１４…スロープ。
【図１】
2006183883.tif 000003
【図２】
2006183883.tif 000004
【図３】
2006183883.tif 000005
【図４】
2006183883.tif 000006
【図５】
2006183883.tif 000007
【図６】
2006183883.tif 000008